(57)【要約】【課題】静止画ファイルから汎用の動画再生機器でも閲覧することができる動画ファイルを作成し、その動画ファイルの再生中にプリント注文の指示入力を行うだけで、再生中の画像に対応する静止画ファイルを特定可能にする。【解決手段】複数の静止画ファイルに基づいて該静止画ファイルに記録された静止画を繋ぎ合わせて動画を表示するためのＤＶＤビデオ形式やビデオＣＤ形式などの動画ファイルを作成する。この動画ファイルを、前記複数の静止画ファイルが記録された記録メディアと同じ記録メディアに記録する。また、前記複数の静止画ファイルと、前記動画ファイルに基づく動画再生中の各静止画の再生位置との関係を示す再生関連付け情報を作成し、この再生関連付け情報も前記記録メディアに記録し、これにより動画再生中のフレーム画像と、その元画像の静止画ファイルとの関係が分かるようにしている。【選択図】　　　　　図４
2004064285.tif 000002
【特許請求の範囲】
【請求項１】
複数の静止画ファイルに基づいて該静止画ファイルに記録された静止画を繋ぎ合わせて動画を表示するための動画ファイルを作成する動画ファイル作成手段と、
前記複数の静止画ファイルと、前記動画ファイルに基づく動画再生中の各静止画の再生位置との関係を示す再生関連付け情報を作成する再生関連付け情報作成手段と、
を備えたことを特徴とする画像編集装置。
【請求項２】
前記再生関連付け情報作成手段によって作成される再生関連付け情報は、前記動画ファイルに基づく動画の再生開始時点からの各静止画の繋ぎ目までの再生時間又は再生フレーム数を含むことを特徴とする請求項１の画像編集装置。
【請求項３】
前記複数の静止画ファイル、動画ファイル及び再生関連付け情報を同一の記録メディアに記録する記録手段を有することを特徴とする請求項１又は２の画像編集装置。
【請求項４】
請求項３の画像編集装置によって前記複数の静止画ファイル、動画ファイル及び再生関連付け情報が記録された記録メディア。
【請求項５】
請求項４の記録メディアから動画ファイルを読み込んで動画を画像表示手段に表示させる動画再生手段と、
前記動画再生手段によって動作再生されている静止画の再生位置を検知する検知手段と、
前記動画再生手段による動作再生中にプリント注文の指示入力があると、該指示入力時点に前記検知手段によって検知された静止画の再生位置と前記記録メディアに記録されている再生関連付け情報とに基づいて前記記録メディアに記録されている複数の静止画ファイルからプリント注文に該当する静止画ファイルを特定する静止画ファイル特定手段と、
前記静止画ファイル特定手段によって特定した静止画ファイルのプリント注文情報を作成するプリント注文情報作成手段と、
を備えたことを特徴とするプリント注文装置。
【請求項６】
前記静止画ファイル特定手段は、前記動画再生手段による動作再生中にプリント解除の指示入力があると、該指示入力時点に前記検知手段によって検知された静止画の再生位置と前記記録メディアに記録されている再生関連付け情報とに基づいて前記記録メディアに記録されている複数の静止画ファイルからプリント解除に該当する静止画ファイルを特定し、
前記プリント注文情報作成手段は、前記プリント解除に該当する静止画ファイルのプリント注文情報を作成していた場合には、該プリント注文情報を削除することを特徴とする請求項５のプリント注文装置。
【請求項７】
前記プリント注文情報をリムーバルブルの記録メディアに記録する記録手段を有することを特徴とする請求項５又は６のプリント注文装置。
【請求項８】
前記記録手段によってプリント注文情報が記録される記録メディアは、請求項４の記録メディアと同じ記録メディアであることを特徴とする請求項７のプリント注文装置。
【請求項９】
前記プリント注文情報作成手段によって作成されたプリント注文情報を、ネットワークを介してプリントサーバにアップロードする通信手段を有することを特徴とする請求項５乃至８のいずれかに記載のプリント注文装置。
【発明の詳細な説明】
【０００１】
【発明の属する技術分野】本発明は画像編集装置、記録メディア及びプリント注文装置に係り、特にデジタルカメラで撮影した静止画から動画を作成する技術に関する。
【０００２】
【従来の技術】
近年、デジタルカメラが普及し、デジタル静止画／動画ファイルが利用されている。
【０００３】
また、静止画ファイルを印刷する機能を有するアプリケーションソフトも数多く市販されている。これらのアプリケーションソフトは、モニタに一欄表示されているファイルから印刷対象のファイルを選択した後、その選択したファイルの印刷枚数を指定し、プリント情報を作成して記録、もしくは直接プリンタへプリント出力する方式であった。
【０００４】
一方、デジタルカメラで撮影された静止画を、ＪＰＥＧ（Ｊｏｉｎｔ　Ｐｈｏｔｏｇｒａｐｈｉｃ　Ｅｘｐｅｒｔｓ　Ｇｒｏｕｐ）などの圧縮・伸張方式による静止画ファイルでデジタルカメラ付属の記録メディアに記録したり、デジタルカメラで撮影された動画を、Ｍｏｔｉｏｎ　ＪＰＥＧ　などの動画ファイルでデジタルカメラ付属の記録メディアに記録することが行われている。尚、Ｍｏｔｉｏｎ　ＪＰＥＧ　は、各フレーム画像をＪＰＥＧ方式で圧縮し、一連の画像群として記録する方法であり、再生時は各フレームが連続的に再生される。
【０００５】
従来、動画ファイルを構成する画像群のうちの任意の１フレームの画像の印刷を可能にしたデジタルカメラが提案されている（特開２００１−２９２４０４号公報）。
【０００６】
このデジタルカメラは、動画ファイルから任意の１フレームが指定されると、その指定されたフレーム番号（＝印刷情報）を動画ファイルと同一の記録メディア内に記録することを特徴としている。
【０００７】
【発明が解決しようとする課題】
ところで、上記記録メディアには、静止画ファイルや動画ファイルがそのまま記録されているに過ぎず、静止画ファイルや動画ファイルを利用するためにはパーソナルコンピュータ（以下、「パソコン」という）が必須となっていた。
【０００８】
即ち、静止画ファイルを閲覧するためには、予めビューアソフトがインストールされているパソコンによって記録メディア内の画像ファイルを読み込み、この読み込んだ画像の一覧表示、１コマ再生、スライドショー再生などを行う。
【０００９】
また、プリント注文する場合には、予めパソコンにインストールされているアプリケーションソフトにて記録メディア内の静止画ファイルを一覧表示させた後、印刷対象の静止画ファイルのみを選択する作業が必要であり、不便であった。
【００１０】
その一方、特開２００１−２９２４０４号公報に記載のデジタルカメラによって印刷情報が記録された記録メディアを受け取ったプリンタにより動画ファイルの１つのフレームを印刷する場合、プリンタ側で記録媒体から印刷情報を読み出し、この読み出した印刷情報に基づいて動画ファイルから１つのフレームを静止画ファイルとして切り出す処理が必要であり、また、低精細な動画ファイルの１フレームから印刷することになるため、解像度の高いプリントが得られないという問題がある。
【００１１】
本発明はこのような事情に鑑みてなされたもので、その目的は、静止画ファイルから汎用の動画再生機器でも閲覧することができる動画ファイルを作成することができ、その動画ファイルの再生中にプリント注文の指示入力を行うだけで、再生中の画像に対応する静止画ファイルを特定することができる画像編集装置及び記録メディアを提供することにある。
【００１２】
本発明の他の目的は、前記記録メディアに記録された動画ファイルを再生するとともに、その動画ファイルの再生中にプリント注文する指示入力があると、その指示入力時に再生中の動画（静止画）に対応する静止画ファイルを特定し、特定した静止画ファイルのプリント注文情報を作成することができるプリント注文装置を提供することにある。
【００１３】
【課題を解決するための手段】
前記目的を達成するために請求項１に係る画像編集装置は、複数の静止画ファイルに基づいて該静止画ファイルに記録された静止画を繋ぎ合わせて動画を表示するための動画ファイルを作成する動画ファイル作成手段と、前記複数の静止画ファイルと、前記動画ファイルに基づく動画再生中の各静止画の再生位置との関係を示す再生関連付け情報を作成する再生関連付け情報作成手段と、を備えたことを特徴としている。
【００１４】
即ち、複数の静止画ファイルに記録された静止画を繋ぎ合わせて動画を表示するための動画ファイルを作成する。この動画ファイルとしては、ＤＶＤ（Ｄｉｇｉｔａｌ　Ｖｅｒｓａｔｉｌｅ　Ｄｉｓｋ）　ビデオ方式や、ビデオＣＤ方式などの汎用の再生機器（ＤＶＤプレーヤなど）で再生可能な動画ファイル形式で作成することが好ましい。
【００１５】
また、このようにして作成された動画ファイルの各静止画の再生位置と、動画ファイルの元画像である複数の静止画ファイルとの関係を示す再生関連付け情報を作成し、これにより動画再生中のフレーム画像と、その元画像の静止画ファイルとの関係が分かるようにしている。
【００１６】
請求項２に示すように、前記再生関連付け情報作成手段によって作成される再生関連付け情報は、前記動画ファイルに基づく動画の再生開始時点からの各静止画の繋ぎ目までの再生時間又は再生フレーム数を含むことを特徴としている。即ち、動画再生開示時点からの再生経過時間を計測することにより、各静止画ファイルと再生開始時点からの各静止画の繋ぎ目までの再生時間との生成関連付け情報から、ある再生経過時間ではいずれの静止画ファイルに対応する画像が再生されているかが分かる。同様に、動画再生開示時点からの再生フレーム数を計測することにより、各静止画ファイルと再生開始時点からの各静止画の繋ぎ目までの再生フレーム数との生成関連付け情報から、ある再生フレーム数の画像は、いずれの静止画ファイルに対応するフレーム画像が再生されているかが分かる。
【００１７】
請求項３に示すように前記複数の静止画ファイル、動画ファイル及び再生関連付け情報を同一の記録メディアに記録する記録手段を有することを特徴としている。
【００１８】
請求項４に係る記録メディアは、請求項３の画像編集装置によって前記複数の静止画ファイル、動画ファイル及び再生関連付け情報が記録された記録メディアである。
【００１９】
請求項５に係るプリント注文装置は、請求項４の記録メディアから動画ファイルを読み込んで動画を画像表示手段に表示させる動画再生手段と、前記動画再生手段によって動作再生されている静止画の再生位置を検知する検知手段と、前記動画再生手段による動作再生中にプリント注文の指示入力があると、該指示入力時点に前記検知手段によって検知された静止画の再生位置と前記記録メディアに記録されている再生関連付け情報とに基づいて前記記録メディアに記録されている複数の静止画ファイルからプリント注文に該当する静止画ファイルを特定する静止画ファイル特定手段と、前記静止画ファイル特定手段によって特定した静止画ファイルのプリント注文情報を作成するプリント注文情報作成手段と、を備えたことを特徴としている。
【００２０】
これにより、画像表示手段に動画再生されている画像を見ながらプリント注文したい所望の画像が再生されている時にプリント注文の指示入力を行うだけで、そのプリント注文に該当する静止画ファイルのプリント注文情報を作成することができ、プリント注文操作の簡易化を図ることができる。また、プリント用の画像データは、動画を構成する１フレームの画像データではなく、元画像の静止画ファイルの画像データであるため、解像度の高いプリントが得られる。
【００２１】
請求項６に示すように前記静止画ファイル特定手段は、前記動画再生手段による動作再生中にプリント解除の指示入力があると、該指示入力時点に前記検知手段によって検知された静止画の再生位置と前記記録メディアに記録されている再生関連付け情報とに基づいて前記記録メディアに記録されている複数の静止画ファイルからプリント解除に該当する静止画ファイルを特定し、前記プリント注文情報作成手段は、前記プリント解除に該当する静止画ファイルのプリント注文情報を作成していた場合には、該プリント注文情報を削除することを特徴としている。
【００２２】
請求項７に示すように、前記プリント注文情報をリムーバルブルの記録メディアに記録する記録手段を有することを特徴としている。
【００２３】
請求項８に示すように、前記記録手段によってプリント注文情報が記録される記録メディアは、請求項４の記録メディアと同じ記録メディアであることを特徴としている。
【００２４】
請求項９に示すように、前記プリント注文情報作成手段によって作成されたプリント注文情報を、ネットワークを介してプリントサーバにアップロードする通信手段を有することを特徴としている。
【００２５】
【発明の実施の形態】
以下、添付図面に従って本発明に係る画像編集装置、記録メディア及びプリント注文装置の好ましい実施の形態について詳説する。
【００２６】
図１は本発明に係る画像編集装置とプリント注文装置としての機能を備えたパソコンのハードウェア構成例を示すブロック図である。
【００２７】
図１に示すようにパソコン１は、主として各構成要素の動作を制御する中央処理装置（ＣＰＵ）１０と、装置の制御プログラムが格納されたり、プログラム実行時の作業領域となる主メモリ１２と、パソコン１のオペレーティングシステム（ＯＳ）、パソコン１に接続された周辺機器のデバイスドライバ、本発明に係る画像編集処理やプリント注文用のプログラムを含む各種のアプリケーションソフト、ユーザの画像等が格納されるハードディスク装置１４と、ＤＶＤ−Ｒ／ＲＷ装置１６と、表示用データを一時記憶する表示メモリ１８と、この表示メモリ１８からの画像データ、文字データ等により画像や文字等を表示するＣＲＴモニタや液晶モニタ等のモニタ装置２０と、キーボード２２と、位置入力装置としてのマウス２４と、マウス２４の状態を検出してモニタ装置２０上のマウスポインタの位置やマウス２４の状態等の信号をＣＰＵ１０に出力するマウスコントローラ２６と、インターネット等のネットワーク３０と接続される通信インターフェース２７と、メモリカード３２が着脱されるカード挿入口を有するカードインターフェース２８と、上記各構成要素を接続するバス２９とから構成されている。
【００２８】
尚、上記構成のパソコン１は、ハードディスク装置１４に格納されている、本発明に係る画像編集処理やプリント注文用のアプリケーションソフトを除いて周知のものであるため、各構成要素の詳細な説明については省略する。この画像編集処理やプリント注文用のアプリケーションソフトは、該アプリケーションソフトが記録されたＣＤ−ＲＯＭをパソコン１のＤＶＤ−Ｒ／ＲＷ装置１６にセットすることにより、パソコン１にインストールすることができる。このＤＶＤ−Ｒ／ＲＷ装置１６は、ＣＤ−Ｒ／ＲＷの機能も有している。
【００２９】
次に、上記パソコン１のハードディスク装置１４に格納されている複数の静止画ファイルから動画ファイルを作成し、ＤＶＤ−ＲＡＭやＣＤ−Ｒなどの記録メディアに書き込む場合の実施の形態について説明する。
＜操作＞
（ステップＳ１）
まず、本発明に係る画像編集用のアプリケーションソフトを起動する。これにより、パソコン１のモニタ装置２０には、図２に示すようにフォルダツリーと、該フォルダツリー上で選択されたフォルダ内の静止画のサムネイル、ファイル名の一覧がウィンドウ４０に表示されるとともに、メディア作成ウィンドウ４２が表示される。
（ステップＳ２）
続いて、複数の静止画ファイルが格納された所望のフォルダを選択し、このフォルダをマウス２４によってメディア作成ウィンドウ４２上にドラッグ＆ドロップする。
（ステップＳ３）
次に、メディア作成ウィンドウ４２上の「メディア作成」ボタン４４をクリックする。
＜内部処理＞
以上の操作が終了すると、以下の処理が実行される。
（ステップＳ１０）
選択されたフォルダ内の複数の静止画ファイルに記録された静止画を繋ぎ合わせて動画ファイルを作成する。この動画ファイルの作成の際に、各静止画ファイルｉ（ｉ＝１，　２，　…）の表示時間を規定値ｔｉ　に設定する。デフォルトでは、規定値ｔｉ　は、５秒に設定されているが、各静止画ファイルごとに任意に設定可能となっている。尚、便宜上、ここでは一律ｔｉ　＝５秒とする。
【００３０】
各静止画ファイルの静止画は、動画ファイルの形式に合わせてリサイズされ、それぞれ反復画像として記録される。この反復記録数（フレーム数）は、例えば、各静止画をそれぞれ５秒間だけ動画（スライドショーの動画）として再生することが可能なフレーム数とする。フレームレートを３０フレーム／秒とすると、各静止画の反復記録数は、１５０（＝３０×５）フレームである。
（ステップＳ１２）
ステップＳ１０にて作成した動画ファイルにおける各静止画ファイルの表示開始時間の情報（再生関連付け情報）を記述したファイルを作成する。
【００３１】
図３は上記再生関連付け情報が記述されたファイルの一例である。同図に示すように、この再生関連付け情報は、静止画ファイルのＤＣＦ（Ｄｅｓｉｇｎ　ｒｕｌｅ　ｆｏｒ　Ｃａｍｅｒａ　Ｆｉｌｅ　ｓｙｓｔｅｍ：　デジタルカメラの統一記録フォーマット）　などによる命名規則により自動生成されたファイル名と、その静止画ファイルの再生開始時間との関係を示す情報であり、再生開始時間は、前記規定値ｔｉ　（この例では、一律５秒）に基づいて決定される。
（ステップＳ１４）
一連の静止画ファイル（メディア作成ウィンドウ４２上にドラッグ＆ドロップされたフォルダ内の静止画ファイル）と、ステップＳ１０にて作成した動画ファイルと、ステップＳ１２にて作成した再生関連付け情報とを、同一の記録メディア（例えば、ＤＶＤ−ＲＷ、ＣＤ−Ｒ／ＲＷ等）に記録する。
【００３２】
図４はＤＶＤ−ＲＷやＣＤ−Ｒ／ＲＷなどの記録メディアに書き込まれる動画ファイル、静止画ファイル、再生関連付け情報等の記録構造例を示している。同図に示すように、静止画ファイルが記録される　ＤＣＦイメージルートディレクトリＤＣＩＭと同じ階層に、動画ファイル、再生関連付け情報のファイルの情報を入れる同一構造のツリーをおく。
【００３３】
また、この記録メディアには、上記静止画ファイルのうちのプリント注文のあった静止画ファイルのプリント情報が記述されたＤＰＯＦ（Ｄｉｇｉｔａｌ　Ｐｒｉｎｔ　Ｏｒｄｅｒ　Ｆｏｒｍａｔ）規格の記録形式のプリント情報ファイル（ＤＰＯＦファイル）も記録される。尚、このＤＰＯＦファイルを記録する際の操作については、後述する。
＜再生＞
次に、上記のようにして作成された記録メディアの動画ファイルの再生及びプリント注文方法について、図５及び図６に示すフローチャートを参照しながら説明する。
（ステップＳ２０（図５））
図４に示した記録構造を有する記録メディアをＤＶＤ−Ｒ／ＲＷ装置１６にセットし、動画ファイルを読み込んでモニタ装置２０に動画を表示させる。
（ステップＳ２２）
動画ファイルの再生中に再生開始からの再生継続時間を計測する。
（ステップＳ２４）
動画ファイルの再生中にプリントボタンが押されたか否かを判別する。プリントボタンが押された場合には、ステップＳ２６に進み、プリントボタンが押されていない場合には、ステップＳ３４（図６）に跳ぶ。
（ステップＳ２６）
プリントボタンが押されると、ステップＳ２２で計測した再生計測時間と、再生関連付け情報（図３参照）とから該当する静止画ファイルを特定する。例えば、再生開始から１１秒経過時にプリントボタンが押されると、図３に示すように３番目のファイル（ＤＳＣＦ０００３．ＪＰＧ）　がプリント対象の静止画ファイルとして特定される。尚、このプリントボタンが押されたときには、図７に示すようにプリント対象の３番目の静止画ファイルに対応した動画がモニタ装置２０に表示されている。従って、プリント注文を行う操作者は、モニタ装置２０に表示されている動画（スライドショー）を見ながら所望の画像が表示されている期間にプリントボタンを押せばよい。
（ステップＳ２８）
ステップＳ２６にて特定された静止画ファイルが、既にプリント注文された静止画ファイルか否かを判別する。既にプリント注文された静止画ファイルでない場合には、ステップＳ３０に進み、既にプリント注文された静止画ファイルの場合には、ステップＳ３０に進む。
（ステップＳ３０）
ステップＳ２８にて特定された静止画ファイルが、既にプリント注文された静止画ファイルでないと判別されると、モニタ装置２０の再生画面上にプリント指定されたことを示すアイコンをプリント枚数ｎの表記（ｎ＝１枚）とともに表示し、また、内部揮発性メモリ（例えば、主メモリ１２）にファイル特定情報及び注文枚数ｎ（＝１）を記録する。
（ステップＳ３２）
ステップＳ２８にて特定された静止画ファイルが、既にプリント注文された静止画ファイルと判別されると、モニタ装置２０の再生画面上のプリント枚数ｎの表記を１インクリメントするとともに、内部揮発性メモリに記録されている該当静止画ファイルの注文枚数ｎを１インクリメントする。このようにプリントボタンを複数回押すことにより、その押した数に対応したプリント枚数を設定することができる。
（ステップＳ３４（図６））
プリント解除ボタンが押されたか否かを判別する。プリント解除ボタンが押された場合には、ステップＳ３６に進み、プリント解除ボタンが押されていない場合には、ステップＳ４２に跳ぶ。
（ステップＳ３６）
プリント解除ボタンが押されると、ステップＳ２２で計測した再生計測時間と、再生関連付け情報（図３参照）とから該当する静止画ファイルを特定する。尚、静止画ファイルの特定方法は、図５のステップＳ２６の処理と同様に行われる。
（ステップＳ３８）
ステップＳ３６にて特定された静止画ファイルが、既にプリント注文された静止画ファイルか否かを判別する。既にプリント注文された静止画ファイルでない場合には、ステップＳ４２に跳び、既にプリント注文された静止画ファイルの場合には、ステップＳ４０に進む。
（ステップＳ４０）
ステップＳ３６にて特定された静止画ファイルが、既にプリント注文された静止画ファイルであると判別されると、モニタ装置２０の再生画面上にプリント指定されたことを示すアイコン及びプリント枚数の表記を消去するとともに、内部揮発性メモリに記録されている該当する静止画ファイルのファイル特定情報及び注文枚数を消去する。
（ステップＳ４２）
一つの動画ファイルの再生が終了したか否かを判別し、終了した場合には、ステップＳ４４に進み、終了していない場合には、ステップＳ２２（図５）に戻る。尚、一つの動画ファイルの再生の終了は、その動画ファイルを構成している全ての静止画の再生が終了した場合と、動画ファイルの再生中に再生を強制終了させた場合とが含まれる。
（ステップＳ４４）
一つの動画ファイルの再生が終了すると、内部揮発性メモリに記録された静止画ファイルのファイル特定情報及び注文枚数を有するＤＰＯＦファイルを作成し、このＤＰＯＦファイルを、図４に示すように記録メディアに記録する。
【００３４】
図８はＤＰＯＦファイルの一例を示している。
【００３５】
同図において、ＤＰＯＦファイルのヘッダー部［ＨＤＲ］　には、ＤＰＯＦの全般に関わる情報が記述され、“ＧＥＮ　ＲＥＶ　”にはＤＰＯＦのバージョンが記述され、“ＧＥＮ　ＣＲＴ　”にはアプリケーション名が記述され、“ＧＥＮ　ＤＴＭ　”にはＤＰＯＦファイルをセーブした日時が記述される。また、ＤＰＯＦファイルのジョブ記述部［ＪＯＢ］　の“ＰＲＴ　ＰＩＤ　”にはプロダクトＩＤが記述され、“ＰＲＴ　ＴＹＰ　”にはプリント種類が記述され、“ＰＲＴ　ＱＴＹ　”にはプリント枚数が記述され、“ＰＲＴ　ＦＭＴ　”には画像ファイルのフォーマットが記述される。
【００３６】
尚、記録メディアに複数の動画ファイルが記録されている場合や、同一の動画ファイルを複数回再生する場合において、一つの動画ファイルが再生されるごとに、図５及び図６に示したステップＳ２０〜ステップＳ４４の処理が行われる。この再生時にプリントボタンが押されない場合にはＤＰＯＦファイルの作成や記録メディアへの記録を行うステップＳ４４の処理は省略される。
【００３７】
また、再生関連付け情報は、図３に示した各静止画ファイルと、その静止画ファイルに対応する画像の再生開始時間との関係を示す情報に限らず、各静止画ファイルに対応する画像の再生再生終了時間との関係を示す情報でもよい。また、再生開始時間や再生終了時間に限らず、再生フレーム数でもよい。即ち、１つの静止画の再生時間の規定値ｔｉ　とフレームレート（フレーム数／秒）が決定されれば、１つの静止画の再生フレーム数が分かり、これにより各静止画の再生開始時間や再生終了時間に対応する再生フレーム数を求めることができ、これを再生関連付け情報とすることができる。
【００３８】
いま、再生時間の規定値ｔｉ　を一律５秒とし、フレームレートを３０ｆｐｓとすると、動画ファイルの再生経過時間と再生開始からの再生フレーム数Ｎとは、図７に示す関係になる。例えば、再生フレーム数として３００〜４５０フレームの画像の再生中にプリントボタンが押された場合には、３番目の静止画ファイルが特定されることになる。
【００３９】
尚、この実施の形態では、複数の静止画ファイル、動画ファイル、再生関連付け情報及びプリント注文情報をＤＶＤ−Ｒ／ＲＷ、ＣＤ−Ｒ／ＲＷ等の記録メディアに記録するようにしたが、これに限らず、カードインターフェース２８のカード挿入口に着脱されるメモリカード３２に記録するようにしてもよく、要はリムーバブルの記録メディアであれば、如何なる記録メディアでもよい。また、複数の静止画ファイル、動画ファイル、及び再生関連付け情報が記録される記録メディアと、プリント注文情報が記録される記録メディアとは、同一の記録メディアでもよいし、別々の記録メディア（異種の記録メディア、又は同種の別々の記録メディア）でもよい。上記記録メディアをプリント取次店などに持参することで、プリント注文を行うことができる。
【００４０】
また、プリント注文方法としては、動画ファイルの再生中にプリントボタンの操作によって特定された静止画ファイル及びプリント注文情報等を、通信インターフェース２７からネットワーク３０を経由してプリントサーバ３１にアップロードするウエブ注文も可能である。
【００４１】
更に、この実施の形態では、パソコンを例に説明したが、動画ファイルの作成機能と、再生関連付け情報を作成する機能と、これらの機能によって作成された動画ファイル及び再生関連付け情報を、各静止画ファイルが記録された同一の記録メディアに記録する機能とを備えた専用の画像編集装置でもよい。更にまた、前記記録メディアに記録された動画ファイルの再生機能を有する動画再生機器に、本発明に係る静止画ファイルの特定、プリント注文情報の作成及び記録の機能を持たせるようにしてもよい。
【００４２】
【発明の効果】
以上説明したように本発明によれば、複数の静止画ファイルから汎用の動画再生機器でも閲覧することができる動画ファイルを作成するようにしたため、複数の静止画ファイルの静止画を所定のインターバルで順次表示するスライドショーなどの専用のビューアソフトを必要とせずに、スライドショーと同様な動画再生を行うことができ、特に動画再生中にプリント注文の指示入力を行うだけで、再生中の画像に対応する静止画ファイルを特定することができ、これにより軽快な操作でプリント注文情報を作成することができる。
【図面の簡単な説明】
【図１】本発明に係る画像編集装置とプリント注文装置としての機能を備えたパソコンのハードウェア構成例を示すブロック図
【図２】本発明に係る画像編集用のアプリケーションソフトの起動時におけるモニタ装置の操作画面を示す図
【図３】本発明に係る再生関連付け情報が記述されたファイルの一例を示す図
【図４】記録メディア内の記録構造例を示す図
【図５】本発明に係る記録メディアの動画ファイルの再生及びプリント注文方法を説明するために用いたフローチャート
【図６】本発明に係る記録メディアの動画ファイルの再生及びプリント注文方法を説明するために用いたフローチャート
【図７】動画ファイルの再生経過時間又は再生フレーム数と、再生される静止画ファイルに対応する画像との関係を示す図
【図８】ＤＰＯＦファイルの一例を示す図
【符号の説明】
１…パソコン、１０…中央処理装置（ＣＰＵ）、１２…主メモリ、１４…ハードディスク装置、１６…ＤＶＤ−Ｒ／ＲＷ装置、２０…モニタ装置、２２…キーボード、２４…マウス、２７…通信インターフェース、２８…カードインターフェース、３０…ネットワーク、３２…メモリカード、３１…プリントサーバ、４０…ウィンドウ、４２…メディア作成ウィンドウ
【図１】
2004064285.tif 000003
【図２】
2004064285.tif 000004
【図３】
2004064285.tif 000005
【図４】
2004064285.tif 000006
【図５】
2004064285.tif 000007
【図６】
2004064285.tif 000008
【図７】
2004064285.tif 000009
【図８】
2004064285.tif 000010